(57)【要約】【課題】挿通物の着脱を容易に行うことができ、使い勝手の良い筆記具を提供する。【解決手段】長尺状の挿通物ｘを挿通させるための貫通状の被挿通部１１を備えた筆記具において、軸筒１０に対して相対的に移動可能な開閉移動部２２ｃを備え、前記被挿通部１１は、その貫通方向と交差する方向へ向く開口部１１ａを有する略凹状に形成され、前記軸筒１０と前記開閉移動部２２ｃとの内の一方または双方に設けられるとともに、前記軸筒１０と前記開閉移動部２２ｃとが向かい合う部位に配置され、前記開閉移動部２２ｃは、前記被挿通部１１の開口部１１ａを閉鎖する閉鎖位置と、同被挿通部１１の開口部１１ａを開放する開放位置との間で移動するように、前記軸筒１０に設けられている。【選択図】          図３
2005022112.tif 000002
【特許請求の範囲】
【請求項１】
長尺状の挿通物を挿通させるための貫通状の被挿通部を備えた筆記具において、軸筒に対して相対的に移動可能な開閉移動部を備え、
前記被挿通部は、その貫通方向と交差する方向へ向く開口部を有する略凹状に形成され、前記軸筒と前記開閉移動部との内の一方または双方に設けられるとともに、前記軸筒と前記開閉移動部とが向かい合う部位に配置され、
前記開閉移動部は、前記被挿通部の開口部を閉鎖する閉鎖位置と、同被挿通部の開口部を開放する開放位置との間で移動するように設けられていることを特徴とする筆記具。
【請求項２】
上記軸筒から筆記部を出没させる出没機構が具備され、
この出没機構は、上記開閉移動部における上記閉鎖位置と上記開放位置との間の移動に連動して、前記筆記部を上記軸筒から出没させるように設けられていることを特徴とする請求項１記載の筆記具。
【請求項３】
上記開閉移動部における上記閉鎖位置から上記開放位置への移動と、上記筆記部における没入位置から突出位置への移動とを連動させるようにしたことを特徴とする請求項２記載の筆記具。
【請求項４】
上記被挿通部は、軸筒の後端側に配置されるとともに、上記開口部を軸筒の軸方向と交差する方向へ向けた凹状に形成され、
上記開閉移動部は、軸筒の軸方向に沿って軸方向へ移動し、前進した際に上記被挿通部を開放し、後退した際に前記被挿通部を閉鎖するように設けられていることを特徴とする請求項１乃至３何れか１項記載の筆記具。
【発明の詳細な説明】
【０００１】
【発明の属する技術分野】
本発明は、携帯電話のストラップや、チェーン、ワイヤー、紐、棒等の挿通物を挿通させて、該挿通物に装着することが可能な筆記具に関するものである。
【０００２】
【従来の技術】
従来、この種の筆記具には、例えば、軸筒後端側に筆記部を出没操作するためのノック棒を備え、該ノック棒に軸筒の軸心と略直交する方向の貫通孔を設け、該貫通孔に、携帯電話のストラップや、チェーン、ワイヤー、紐、棒等の挿通物が挿通されるようにしたものがある。（例えば、特許文献１参照。）。
【０００３】
しかしながら、上記従来技術の筆記具に上記挿通物を装着するには、上記挿通物が有端状の紐である場合、該紐の一端を上記貫通孔に挿通させた後、該紐を結ぶ等して、上記貫通孔から抜けないようにする必要があった。
また、上記挿通物が無端輪状の紐である場合には、該紐を解いたり切断したり等して一旦有端状にし、前記有端状の紐と同様の作業をするか必要があった。
なお、上記挿通物が無端輪状の紐である場合には、該紐を解いたり切断したりすることなく、該紐の両端に略Ｕ字状の曲げ部位を形成し、その一端側の曲げ部位を上記貫通孔に挿通させて結ぶことも可能であるが、前記紐が太めである場合には、その紐を上記貫通孔に挿通させることが困難である。
また、上記何れの場合においても、一旦上記貫通孔に装着された挿通物を外す際には、該挿通物を解いたり切ったり等するという面倒な作業を要していた。
【０００４】
【特許文献１】
特開２００１−３０１３８２号公報
【０００５】
【発明が解決しようとする課題】
本発明は上記従来事情に鑑みてなされたものであり、その課題とする処は、挿通物の着脱を容易に行うことができ、使い勝手の良い筆記具を提供することにある。
【０００６】
【課題を解決するための手段】
上記課題を解決するために第一の発明は、長尺状の挿通物を挿通させるための貫通状の被挿通部を備えた筆記具において、軸筒に対して相対的に移動可能な開閉移動部を備え、前記被挿通部は、その貫通方向と交差する方向へ向く開口部を有する略凹状に形成され、前記軸筒と前記開閉移動部との内の一方または双方に設けられるとともに、前記軸筒と前記開閉移動部とが向かい合う部位に配置され、前記開閉移動部は、前記被挿通部の開口部を閉鎖する閉鎖位置と、同被挿通部の開口部を開放する開放位置との間で移動するように設けられていることを特徴とする。
【０００７】
ここで、上記被挿通部とは、上記軸筒と上記開閉移動部との内の一方または双方に貫通された貫通状の部位であって、その貫通方向に交差する方向に開口された開口部を有する略凹状の部位である。
この被挿通部の形状の具体例としては、断面略Ｕ字溝状や断面略Ｖ字溝状、断面略Ｃ字溝状等が挙げられる。
なお、上記開口部は、上記挿通物を上記被挿通部の貫通方向と交差する方向側から挿通可能なように、上記被挿通部における上記貫通方向の全長にわたって形成されている。
【０００８】
また、上記開閉移動部とは、軸筒に対して相対的に移動するように該軸筒に係合された部材であって、上記被挿通部の開口部を閉鎖する閉鎖位置と、同被挿通部の開口部を開放する開放位置との間で移動するように設けられた部材である。
この開閉移動部の移動方向は、限定されるものでなく、例えば、軸筒の軸方向に略平行する移動方向や、軸筒の軸方向に交差する移動方向等の何れの方向であってもよいが、使い勝手をより向上する観点より、軸筒の軸方向に略平行する移動方向とするのが好ましい。
また、この開閉移動部を移動させるようにした構成には、該開閉移動部を直線に沿って移動させるようにした態様や、該開閉移動部を曲線に沿って移動させるようにした態様、該開閉移動部を回転運動させるようにした態様等を含む。
【０００９】
また、第二の発明では、上記軸筒から筆記部を出没させる出没機構が具備され、
この出没機構は、上記開閉移動部における上記閉鎖位置と上記開放位置との間の移動に連動して、前記筆記部を上記軸筒から出没させるように設けられていることを特徴とする。
ここで、上記出没機構とは、上記開閉移動部における上記閉鎖位置と上記開放位置との間の移動に連動して、上記筆記部を上記軸筒から出没させる機構であればよい。
この出没機構の具体例としては、上記開閉移動部が上記軸筒の軸方向へ進退して上記閉鎖位置と上記開放位置との間を移動するのに応じて、上記筆記部を上記軸筒から出没させるようにした機構や、上記開閉移動部を上記軸筒に軸支し、その軸支された上記開閉移動部が正逆方向への回転により上記閉鎖位置と上記開放位置との間を移動するのに応じて、上記筆記部を上記軸筒から出没させるようにした機構等が挙げられる。
なお、この第二の発明には、上記開閉移動部における上記閉鎖位置から上記開放位置への移動と、上記筆記部における没入位置から突出位置への移動とを連動させるようにした態様と、上記開閉移動部における上記閉鎖位置から上記開放位置への移動と、上記筆記部における突出位置から没入位置への移動とを連動させるようにした態様との双方を含む。
【００１０】
また、第三の発明では、上記開閉移動部における上記閉鎖位置から上記開放位置への移動と、上記筆記部における没入位置から突出位置への移動とを連動させるようにしたことを特徴とする。
【００１１】
また、第四の発明では、上記被挿通部は、軸筒の後端側に配置されるとともに、上記開口部を軸筒の軸方向と交差する方向へ向けた凹状に形成され、上記開閉移動部は、軸筒の軸方向に沿って軸方向へ移動し、前進した際に上記被挿通部を開放し、後退した際に前記被挿通部を閉鎖するように設けられていることを特徴とする。
【００１２】
【発明の実施の形態】
以下、本発明の実施の形態を図面に基づいて説明する。
この筆記具Ａは、軸筒１０と、該軸筒１０から筆記部２１ａを出没させる出没機構２０とを具備してなり、軸筒１０の後端側に配置される被挿通部１１を、出没機構２０後端側における開閉移動部２２ｃの軸方向への移動により開閉する（図１乃至３参照）。
【００１３】
軸筒１０は、出没機構２０を装着すべく軸方向へ貫通された装着室１０ａ、後述する解除ボタン部２４ａを挿通可能な解除ボタン挿通孔１０ｂ、挿通物ｘを挿通可能な被挿通部１１等を備えている。
この軸筒１０の外観形状は、図示例によれば、軸方向の略全長にわたって横断面略長孔状とすることで、意匠性に優れた好ましい一例としているが、略円筒状や略多角形筒状等、一般的な筆記具の外観形状としてもよい。
【００１４】
装着室１０ａは、軸筒１０を軸方向に貫通しており、その内部には、出没機構２０を動作させるように、出没機構２０の各部を係合する段部や案内面等が形成されている。
【００１５】
解除ボタン挿通孔１０ｂは、軸筒１０の周壁を、軸方向と略直交する方向へ貫通してなる貫通孔であり、後述する出没機構２０の解除ボタン部２４ａが挿通される。
この解除ボタン挿通孔１０ｂは、図示した好ましい一例によれば、手で把持される部位を避けて、軸筒１０の若干後端寄りに配置されている。
この図示例によれば、筆記時に手が触れて筆記部２１ａが没入されてしまうのを防止することができる。
【００１６】
被挿通部１１は、軸筒１０の軸方向に略直交する方向に貫通するとともに、その貫通方向に略直交する方向に開口部１１ａ（図３参照）を有する断面略Ｕ字溝状の凹部である。そして、この被挿通部１１は、前記開口部１１ａを後述する開閉移動部２２ｃに向かい合わせるようにして、軸筒１０の後端側に配置されている。
また、この被挿通部１１の断面形状は、軸筒１０の軸方向に略直交する方向の開口部１１ａを有するものであれば、図示例に限定されるものでなく、例えば、断面略Ｖ字溝状や断面略Ｃ字溝状等であってもよい。
【００１７】
出没機構２０は、筆記部２１ａを前端部に備えたリフィール２１と、該リフィール２１の後端側を嵌合支持して前後方向へ進退するスライド部材２２と、該スライド部材２２を後方へ付勢する付勢部材２３と、該スライド部材２２を係脱する係脱部材２４とを、軸筒１０の装着室１０ａ内に具備してなる（図２及び３参照）。
そして、この出没機構２０は、前記スライド部材２２の移動により、前記筆記部２１ａを、軸筒１０内に没入させた没入位置（図２に示す位置）と軸筒１０前端から突出させた突出位置（図３に示す位置）との間で移動させる。
【００１８】
リフィール２１は、ボールペン用リフィールであり、インクを収容したインク収容管２１ｂの前端に、ボールペン用のチップである筆記部２１ａを嵌着してなる。
【００１９】
付勢部材２３は、図示例によれば圧縮スプリングを用いており、その前端の座面を軸筒１０内に係止させて、後端の座面によって、スライド部材２２を後方へ付勢している。
この付勢部材２３は、スライド部材２２を後方へ付勢するようにすれば、図示例に限定されるものでなく、例えば、スライド部材２２を後方へ付勢するように装着された板バネや弾性部材、スライド部材２２を後方側から引っ張るように装着された引張りスプリング等であってもよい。
【００２０】
また、スライド部材２２は、リフィール２１の後端を嵌合支持する支持部２２ａと、該支持部２２ａと後述する開閉移動部２２ｃとを連結する連結部２２ｂと、該連結部２２ｂの後端に連接された開閉移動部２２ｃとから一体に形成されており、被挿通部１１の開口部１１ａを閉鎖した閉鎖位置（図２に示す位置）と、同開口部１１ａを開放した開放位置（図３に示す位置）との間で、軸筒１０の内面に沿って軸方向へスライドする。
【００２１】
支持部２２ａは、前方側からリフィール２１の後端側を挿入可能な略有底筒状に形成され、その内面に形成されたリブ等によってリフィール２１の後端側外周面を押圧し保持する。
【００２２】
連結部２２ｂは、支持部２２ａと開閉移動部２２ｃとの間にわたって連続的に設けられ、その前端部を支持部２２ａに連結するとともに、その後端部を開閉移動部２２ｃに連結している。
そして、この連結部２２ｂは、軸筒１０の装着室１０ａ内に、後述する係脱部材２４を収容して該係脱部材２４の解除ボタン部２４ａを径方向へ揺動させるための空間Ｓを確保するとともに、該空間へ被係合部２２ｂ１を突出させている。
前記空間Ｓの軸方向の長さは、係脱部材２４の係合部２４ｂを被係合部２２ｂ１の前端側部位に係合させた位置（図２に示す状態）と、同係合部２４ｂを被係合部２２ｂ１の後端面に係合させた位置（図３に示す状態）との間で、スライド部材２２を移動させるように設定してある。
【００２３】
前記被係合部２２ｂ１は、軸筒１０の軸心方向へ突出し、その前端側部位を傾斜状に形成することで、係脱部材２４の係合部２４ｂを乗り越え可能にしている。
また、同被係合部２２ｂ１は、その後端部を、軸筒１０の軸心に略直交する平坦面状に形成することで、係合部２４ｂを係止可能にしている。
【００２４】
また、係脱部材２４は、前記連結部２２ｂにより確保された空間Ｓ内に装着される断面略Ｕ字状を呈し、その一片側に、解除ボタン部２４ａ及び上記係合部２４ｂを有するとともに、前記一片側に対峙する他片側を、軸筒１０内面に当接させている。
そして、この係脱部材２４は、弾性的に撓むことが可能な合成樹脂材料から一体に成形され、解除ボタン部２４ａが軸筒１０外部から押圧されることにより、前記一片側を軸筒１０の軸心方向へ撓ませる。
【００２５】
前記解除ボタン部２４ａは、軸筒１０の周壁を貫通して、その突端を軸筒１０の外周面よりも軸筒１０遠心方向へ突出させた凸状に形成されている。
また、前記係合部２４ｂは、上記被係合部２２ｂ１に沿うように側面視略傾斜状に形成され、その先端部を、被係合部２２ｂ１の後端面に係止可能な鋭角状に形成している。
【００２６】
開閉移動部２２ｃは、被挿通部１１の開口部１１ａを開閉可能な開閉面２２ｃ１を備え、前記開口部１１ａを閉鎖した状態で、該開閉面２２ｃ１を前記開口部１１ａに向かい合わせるようにして配置してある。
この開閉移動部２２ｃは、図示例に限定されるものでなく、前後方向へのスライドにより、被挿通部１１の開口部１１ａを開閉可能な形状であればよい。
【００２７】
次に、上記筆記具Ａの作用効果について詳細に説明する。
先ず、筆記部２１ａが没入位置にある際には、開閉移動部２２ｃは、被挿通部１１の開口部１１ａを閉鎖した閉鎖位置に位置する（図２に示す状態）。
この状態において、開閉移動部２２ｃは、手の指等によって軸筒１０後方向から押されると、軸筒１０前方向へ移動し、被挿通部１１の開口部１１ａを開放させた開放位置となる（図３に示す状態）。
そして、前記開閉移動部２２ｃの移動に伴って、該開閉移動部２２ｃと一体のスライド部材２２が前方へ移動し、スライド部材２２の前端に嵌合されたリフィール２１が、筆記部２１ａを軸筒１０の前端から突出させる。
すなわち、開閉移動部２２ｃの閉鎖位置から開放位置への移動と、出没機構２０による筆記部２１ａの没入位置から突出位置への移動とが連動する。
【００２８】
そして、前記移動の際、スライド部材２２の被係合部２２ｂ１は、係脱部材２４の係合部２４ｂに摺接しながら移動することで、係合部２４ｂを軸心方向へ撓ませて、係合部２４ｂよりも前方側へ移動する。
【００２９】
すると、係脱部材２４の係合部２４ｂは、撓んだ状態から弾性的に復帰し、その先端部を係合部２４ｂ後端面に係止させる。
したがって、スライド部材２２は、開閉移動部２２ｃを上記開放位置にし、且つ筆記部２１ａを上記突出位置にした状態に維持される。
【００３０】
この状態を解除するためには、係脱部材２４の解除ボタン部２４ａが外部から押圧される。
解除ボタン部２４ａが押圧されると、係脱部材２４の係合部２４ｂは、軸心方向へ弾性的に撓む。
すると、スライド部材２２の被係合部２２ｂ１と、係脱部材２４の係脱部材２４先端部との係合状態が解除され、スライド部材２２は、付勢部材２３に付勢されて後方へ移動する。
そして、スライド部材２２は、前記のように後方へ移動することによって、開閉移動部２２ｃを上記閉鎖位置にするとともに、筆記部２１ａを上記没入位置にする（図１参照）。
【００３１】
仮に、当該筆記具Ａが、被挿通部１１に挿通物ｘを挿通させて該挿通物ｘに吊り下げられた状態にある場合（図４（ａ）参照）、当該筆記具Ａを使用しようとする筆記者は、開閉移動部２２ｃを前方へ移動させる操作により、当該筆記具Ａを挿通物ｘから外すのと略同時に、筆記部２１ａを軸筒１０前端から突出させることができる（図４（ｂ）参照）。
【００３２】
次に、本発明に係わる筆記具の他例について説明する。なお、以下に例示する筆記具において、上記筆記具Ａと略同様に作用する部位については、上記筆記具Ａと同一の符号をつけることで、重複する詳細説明を省略する。
【００３３】
図５に示す筆記具Ｂは、被挿通部１１’を、複数の凹溝により断面略Ｅ字状に形成したものである。
この筆記具Ｂによれば、例えば携帯電話用のストラップとキーホルダー等、複数の挿通物ｘを被挿通部１１’に着脱することができる。
【００３４】
また、図６に示す筆記具Ｃは、被挿通部１１”を開閉移動部２２ｃ’の回動により開閉するようにしたものである。
詳細に説明すれば、前記開閉移動部２２ｃ’は、軸筒１０’の軸心を中心にして回動するように、軸筒１０’の後端面に軸止され、被挿通部１１”を開閉可能な開閉面２２ｃ１’を有する。
前記軸筒１０’は、その後端部に、軸心と略直交する方向に貫通され、且つ軸後方へ開口した凹状の被挿通部１１”を有する。
この筆記具Ｂによれば、開閉移動部２２ｃ’を回動させることにより、被挿通部１１”を開閉することができる。
なお、開閉移動部２２ｃ’の回動は、筆記部の出没に連動させてもよいし連動させなくてもよいが、好ましい態様として連動させる場合には、例えば、開閉移動部２２ｃ’に貫通固定されている軸部材２２ｃ２’の前端側を、回転操作により筆記先端部を出没させる周知の回転式出没機構（図示せず）に係合させて、軸部材２２ｃ２’と回転式出没機構とが連動するようにした構成とすればよい。
【００３５】
また、上記筆記具Ａによれば、被挿通部１１を軸筒後端側に配置して使い勝手を良くしているが、同様の構成により開閉される被挿通部を軸筒１０の長さ方向の中途部位に構成することも可能である（図示せず）。
【００３６】
また、上記筆記具Ａの出没機構２０は、筆記部２１ａを出没させる機構の好ましい一例であるが、他の出没機構、例えば上記開閉移動部２２ｃのノック操作に連動させて、回転カムを回転させ、該回転カムを筆記部２１ａの突出位置と没入位置とで係合させるようにした機構（図示せず）等としてもよい。
【００３７】
また、上記筆記具Ａの出没機構２０によれば、被挿通部１１を軸筒１０のみに設けることで挿通物ｘの着脱性を良好にした好ましい一例を示しているが、被挿通部１１を被挿通部１１と軸筒１０との双方に設けることも可能である。
また、図７に示す筆記具Ｄのように、被挿通部１１”’をスライド部材２２のみに設けた構成とすることも可能である。
この筆記具Ｄの構成では、スライド部材２２の後方へ移動に、図示しない出没機構により、前記移動と筆記部（図示せず）の出没を連動させた態様としてもよいし、連動させない態様としてもよい。
【００３８】
【発明の効果】
本発明は、以上説明したように構成されているので、以下に記載されるような作用効果を奏する。
第一の発明によれば、開閉移動部を軸筒に対して相対的に移動させることで、被挿通部を閉鎖したり開放したりすることができる。
したがって、仮に挿通物が無端輪状の紐である場合でも、開放させた状態の被挿通部に無端輪状の挿通物を挿通させた後、同被挿通部を閉鎖すれば、前記無端輪状の挿通物を、解いたり切ったりする事なく容易に筆記具に装着することができる。
また、挿通物を筆記具に装着する作業は挿通物を被挿通部の開口部へ挿入し、開閉移動部を移動させるという簡単な作業であるため、挿通物が太めのものである場合にも、その挿通作業が比較的容易である。
よって、挿通物の着脱を容易に行うことができ、使い勝手の良い筆記具を提供することができる。
【００３９】
更に、第二の発明によれば、開閉移動部の移動と筆記部の出没動作とが連動するため、開閉移動部の移動により筆記部を出没させることができる。
【００４０】
更に、第三の発明によれば、当該筆記具の被挿通部に挿通物が挿通されている状態において、開閉移動部を閉鎖位置から開放位置へ移動すれば、当該筆記具を挿通物から外すことができ、それと略同時に、筆記部を筆記可能な突出位置にすることができる。したがって、当該筆記具の使い勝手を一層向上することができる。
【００４１】
更に、第四の発明によれば、開閉移動部の軸方向前方への移動により凹状の被挿通部が開放され、また同開閉移動部の軸方向後方への移動により同被挿通部が閉鎖するようにしているため、被挿通部を開閉するための構造を、簡素で生産性に優れた構造とすることができる。
【図面の簡単な説明】
【図１】本発明に係わる筆記具の一例を示す平面図。
【図２】図１に対する正面図であり、筆記部が没入している状態を、要部を切欠して示している。
【図３】図１に対する正面図であり、筆記部が突出している状態を、要部を切欠して示している。
【図４】同筆記具の使用状態図であり、（ａ）は挿通物に被挿通部を係合させた状態を示し、（ｂ）は挿通物から被挿通部を外した状態を示す。
【図５】本発明に係わる筆記具の他例を示す要部切欠平面図。
【図６】本発明に係わる筆記具の他例を示す要部切欠平面図。
【図７】本発明に係わる筆記具の他例を示す要部切欠平面図。
【符号の説明】
１１：被挿通部
１１ａ：開口部
１０：軸筒
２２ｃ：開閉移動部
２０：出没機構
２１ａ：筆記部
Ａ：筆記具
ｘ：挿通物
【図１】
2005022112.tif 000003
【図２】
2005022112.tif 000004
【図３】
2005022112.tif 000005
【図４】
2005022112.tif 000006
【図５】
2005022112.tif 000007
【図６】
2005022112.tif 000008
【図７】
2005022112.tif 000009